(57)【特許請求の範囲】
【請求項１】
タイル型エレクトロルミネッセントディスプレイ装置であって、
（ａ）規則的な２次元アレイに配列された複数のディスプレイタイルを備え、
各ディスプレイタイルは、
ｉ）透明フレキシブル基板、及び該透明フレキシブル基板に固定された透明フレキシブルカバーと、
ｉｉ）前記透明フレキシブル基板上に形成される第１の電極、該第１の電極上に形成される１つ又は複数の発光材料層、及び該１つ又は複数の発光材料層上に形成される第２の電極と、
を備え、
ｉｉｉ）前記第１の電極又は前記第２の電極は、表示エリアを画定する規則的な２次元の４辺ピクセルアレイの行及び列に配列された独立制御可能な発光ピクセルを形成し、前記ピクセルアレイは、前記ピクセルアレイの第１の辺のエッジに配置された第１のエッジピクセルと、前記第１の辺の反対側にある前記ピクセルアレイの第２の辺のエッジに配置された第２のエッジピクセルと、前記第１の辺及び前記第２の辺に隣接する前記ピクセルアレイの第３の辺のエッジに配置された第３のエッジピクセルと、前記第３の辺の反対側にあり、かつ前記第１の辺及び前記第２の辺に隣接する前記ピクセルアレイの第４の辺のエッジに配置された第４のエッジピクセルとを有し、各ピクセルは、２次元の各次元においてそれぞれのピクセル間距離だけ隣接するピクセルから離隔し、
ｉｖ）前記透明フレキシブル基板又は前記透明フレキシブルカバーは、それぞれの次元において、前記ピクセルアレイの４つ全ての辺において前記ピクセルアレイを前記ピクセル間距離よりも長い距離だけ越えて延在し、前記透明フレキシブル基板又は前記透明フレキシブルカバーの延長部は、前記ピクセルアレイの前記第１の辺における第１の透明タイルエリアと、前記第１の辺の反対側にある前記ピクセルアレイの前記第２の辺における第２のタイルエリアと、前記第１の辺及び前記第２の辺に隣接する前記ピクセルアレイの前記第３の辺における第３の透明タイルエリアと、前記第３の辺の反対側にあり、かつ前記第１の辺及び前記第２の辺に隣接する前記ピクセルアレイの前記第４の辺における第４のタイルエリアとを画定し、
ｖ）前記第１のタイルエリア、前記第２のタイルエリア、前記第３のタイルエリア及び前記第４のタイルエリアはピクセルを含まず、
（ｂ）前記ディスプレイタイルは、
ｉ）第１の隣接するディスプレイタイルの前記第２のエッジピクセルから放射される光が、前記第１の透明タイルエリアを透過するように、各ディスプレイタイルの前記第１の透明タイルエリアが、前記第１の隣接するディスプレイタイルの前記第２のタイルエリア上に配置され、
ｉｉ）前記第２のエッジピクセルから放射される光が第２の隣接するディスプレイタイルの前記第１の透明タイルエリアを透過するように、各ディスプレイタイルの前記第２のタイルエリアが前記第２の隣接するディスプレイタイルの前記第１のタイルエリア下に配置され、
ｉｉｉ）第３の隣接するディスプレイタイルの前記第４のエッジピクセルから放射される光が前記第３の透明タイルエリアを透過するように、各ディスプレイタイルの前記第３の透明タイルエリアが前記第３の隣接するディスプレイタイルの前記第４のタイルエリア上に配置され、
ｉｖ）前記第４のエッジピクセルから放射される光が第４の隣接するタイルの前記第３の透明タイルエリアを透過するように、各ディスプレイタイルの前記第４のタイルエリアが前記第４の隣接するディスプレイタイルの前記第３の透明タイルエリア下に配置され、
ｖ）各ディスプレイタイル及び前記隣接するディスプレイタイルの前記ピクセルアレイ内の前記ピクセルは重なり合わず、規則的な２次元ピクセルアレイを形成し、各次元においてそれぞれのピクセル間距離だけ離隔するように配置される、タイル型エレクトロルミネッセントディスプレイ装置。
【請求項２】
１つ又は複数のディスプレイタイルの前記第１の透明タイルエリア、前記第２のタイルエリア、前記第３の透明タイルエリア又は前記第４のタイルエリア内の前記透明フレキシブル基板又は前記透明フレキシブルカバー上に形成されるブラックマトリックス材料を更に含む、請求項１に記載のタイル型エレクトロルミネッセントディスプレイ装置。
【請求項３】
前記透明フレキシブル基板又は前記透明フレキシブルカバーは垂直エッジを有し、該透明フレキシブル基板又は該透明フレキシブルカバーの該垂直エッジに配置されたブラックマトリックス材料をさらに含む、請求項１に記載のタイル型エレクトロルミネッセントディスプレイ装置。
【請求項４】
前記第１の透明タイルエリア又は前記第３の透明タイルエリアは、対応する隣接するタイル上の２つのピクセル間に側面に沿って配置された垂直エッジを有する、請求項１に記載のタイル型エレクトロルミネッセントディスプレイ装置。
【請求項５】
ａ）前記第２のタイルエリア及び前記第４のタイルエリアはそれぞれ前記第１の透明タイルエリア及び前記第３の透明タイルエリアよりも大きく、
ｂ）前記第１の電極又は前記第２の電極は、前記第２のタイルエリア又は前記第４のタイルエリアの中に、対応するピクセル間距離よりも長い距離だけ延在する延長された電極部を有し、前記第１の電極又は前記第２の電極は、対応する前記第１の透明タイルエリア又は前記第３の透明タイルエリアの中に、対応するピクセル間距離よりも長い距離だけ延在しない、請求項１に記載のタイル型エレクトロルミネッセントディスプレイ装置。
【請求項６】
前記第２のタイルエリアの少なくとも一部は、前記第２の隣接するディスプレイタイルの前記ピクセルアレイ下に配置される、請求項５に記載のタイル型エレクトロルミネッセントディスプレイ装置。
【請求項７】
１つ又は複数のディスプレイタイルの前記第２のタイルエリア又は前記第４のタイルエリア上に配置された１つ又は複数のディスプレイタイルコントローラーを更に備え、該１つ又は複数のディスプレイタイルコントローラーは、対応するディスプレイタイル（複数の場合もあり）の前記第１の電極又は前記第２の電極に接続される、請求項５に記載のタイル型エレクトロルミネッセントディスプレイ装置。
【請求項８】
前記１つ又は複数のディスプレイタイルコントローラーは、前記ディスプレイタイル（複数の場合もあり）の前記透明フレキシブル基板又は透明フレキシブルカバーから独立した別個の基板を有するチップレットである、請求項７に記載のタイル型エレクトロルミネッセントディスプレイ装置。
【請求項９】
前記ディスプレイタイルコントローラー（複数の場合もあり）は、通信バスを用いて、隣接するタイルの前記ディスプレイタイルコントローラー（複数の場合もあり）に電気的に接続される、請求項７に記載のタイル型エレクトロルミネッセントディスプレイ装置。
【請求項１０】
前記１つ又は複数のディスプレイタイルコントローラーはパッシブマトリックスコントローラー（複数の場合もあり）であり、前記ピクセルアレイはパッシブマトリックスピクセルアレイとして制御される、請求項７に記載のタイル型エレクトロルミネッセントディスプレイ装置。
【請求項１１】
第５の隣接するディスプレイタイル及び第６の隣接するディスプレイタイルを更に含み、
ａ）前記第５の隣接するディスプレイタイルの前記第２のエッジピクセルから放射される光が、前記第３の隣接するディスプレイタイルの前記第１の透明タイルエリアを透過するように、該第３の隣接するディスプレイタイルの該第１の透明タイルエリアが前記第５の隣接するディスプレイタイルの前記第２のタイルエリア上に配置され、
ｂ）前記第５の隣接するディスプレイタイルの前記第４のエッジピクセルから放射される光が、前記第１の隣接するディスプレイタイルの前記第３の透明タイルエリアを透過するように、該第１の隣接するディスプレイタイルの該第３の透明タイルエリアが前記第５の隣接するディスプレイタイルの前記第４のタイルエリア上に配置され、
ｃ）前記第３の隣接するディスプレイタイルの前記第２のエッジピクセルから放射される光が前記第６の隣接するディスプレイタイルの前記第１の透明タイルエリアを透過するように、該第６の隣接するディスプレイタイルの該第１の透明タイルエリアが前記第３の隣接するディスプレイタイルの前記第２のタイルエリア上に配置され、
ｄ）前記第６の隣接するディスプレイタイルの前記第４のエッジピクセルから放射される光が前記第２の隣接するディスプレイタイルの前記第３の透明タイルエリアを透過するように、該第２の隣接するディスプレイタイルの該第３の透明タイルエリアが前記第６の隣接するディスプレイタイルの前記第４のタイルエリア上に配置され、
ｅ）前記ディスプレイタイル並びに前記第５の隣接するディスプレイタイル、前記第６の隣接するディスプレイタイル、前記第３の隣接するディスプレイタイル及び前記第１の隣接するディスプレイタイルの前記ピクセルアレイ内の前記ピクセルは重なり合わず、規則的な２次元ピクセルアレイを形成し、各次元においてそれぞれのピクセル間距離だけ離隔する、請求項１に記載のタイル型エレクトロルミネッセントディスプレイ装置。
【請求項１２】
前記第５の隣接するディスプレイタイル、前記第３の隣接するディスプレイタイル及び前記第６の隣接するディスプレイタイルは、前記第１の隣接するディスプレイタイル及び前記第２の隣接するディスプレイタイルに対して横方向にオフセットされる、請求項１１に記載のタイル型エレクトロルミネッセントディスプレイ装置。
【請求項１３】
各ディスプレイタイルは、前記第１の隣接するディスプレイタイルの前記第２のタイルエリア上に配置された第１の平坦な部分と、前記表示エリア内の曲面を成す部分と、前記第２のタイルエリア内の第２の平坦な部分とを有し、該第２の平坦な部分は前記第１の隣接するディスプレイタイルの前記第２のタイルエリアの第２の平坦な部分に隣接し、かつ該第２の平坦な部分と共通の平面内にある、請求項１に記載のタイル型エレクトロルミネッセントディスプレイ装置。
【請求項１４】
１つ又は複数のディスプレイタイルの前記透明フレキシブル基板及び前記透明フレキシブルカバーはそれぞれのエッジを有し、該エッジはギザギザ又は階段状である、請求項１に記載のタイル型エレクトロルミネッセントディスプレイ装置。
【請求項１５】
前記ディスプレイタイルの前記透明フレキシブル基板及び前記透明フレキシブルカバーはそれぞれのエッジを有し、１つ又は複数の辺において、前記透明フレキシブル基板が前記透明フレキシブルカバーの前記エッジを越えて延在するか、又は前記透明フレキシブルカバーが前記透明フレキシブル基板の前記エッジを越えて延在するように、前記ディスプレイタイルの前記透明フレキシブル基板及び前記透明フレキシブルカバーは異なるサイズを有する、請求項１に記載のタイル型エレクトロルミネッセントディスプレイ装置。
【請求項１６】
前記透明フレキシブル基板又は前記透明フレキシブルカバーは、一方又は両方の次元において前記ピクセル間距離以下の厚みを有する、請求項１に記載のタイル型エレクトロルミネッセントディスプレイ装置。
【請求項１７】
前記ピクセルは１つ又複数の次元においてサイズを有し、前記透明フレキシブル基板又は前記透明フレキシブルカバーのいずれか又は両方が少なくとも１つの次元においてピクセル幅以下の厚みを有する、請求項１に記載のタイル型エレクトロルミネッセントディスプレイ装置。
【請求項１８】
前記１つ又は複数の発光材料層と光学的に一体化される放射光拡散素子を更に備える、請求項１に記載のタイル型エレクトロルミネッセントディスプレイ装置。
【請求項１９】
前記ピクセルに対応して配置されたカラーフィルターのアレイと、該カラーフィルター間に配置されたブラックマトリックスとを更に備え、前記１つ又は複数の発光材料層は、白色光を放射し、フルカラータイル型ディスプレイを形成する、請求項１に記載のタイル型エレクトロルミネッセントディスプレイ装置。
【発明の詳細な説明】
【技術分野】
【０００１】
本発明は、それぞれフレキシブル基板を含む複数のディスプレイタイルを有するフラットパネルディスプレイ装置に関する。
【背景技術】
【０００２】
フラットパネルディスプレイデバイスは、コンピューティングデバイスとともに、ポータブルデバイスにおいて、そしてテレビ等の娯楽デバイス用に広く用いられている。そのようなディスプレイは通常、基板上に分散配置された複数のピクセルを用いて画像を表示する。各ピクセルは、各画素を表すために、通常赤色光、緑色光、及び青色光を放射する、一般的にサブピクセルと呼ばれるいくつかの異なる色の発光素子を組み込んでいる。ピクセル及びサブピクセルは、本明細書では区別されず、全ての発光素子はピクセルと呼ばれる。様々なフラットパネルディスプレイ技術、例えば、プラズマディスプレイ、液晶ディスプレイ、及び発光ダイオードディスプレイが知られている。
【０００３】
発光素子を形成する発光材料の薄膜を組み込んだ発光ダイオード（ＬＥＤ）は、フラットパネルディスプレイデバイスにおいて数多くの利点を有し、光学システムにおいて有用である。１つの例示的な有機ＬＥＤディスプレイデバイスは、有機ＬＥＤ発光素子のアレイを含む。代替的に、無機材料を用いることができ、無機材料は多結晶半導体マトリックス内に燐光性結晶又は量子ドットを含むことができる。有機材料又は無機材料の他の薄膜を用いて、発光薄膜材料への電荷の注入、輸送、又は遮断を制御することもでき、そのような薄膜が当該技術分野において知られている。それらの薄膜材料は基板上において電極間に配置され、封入カバー層又はプレートを備える。電極によって供給された電流が発光材料に通電するときに、ピクセルから光が放射される。放射される光の周波数は、用いられる材料の特性に依存する。そのようなディスプレイでは、基板を通じて（ボトムエミッター）、若しくは封入カバーを通じて（トップエミッター）、又はその両方を通じて光を放射することができる。
【０００４】
ＬＥＤデバイスは、パターニングされた発光層を備えることができ、材料に電流が通電するときに異なる色の光を放射させるために、そのパターンにおいて異なる材料が用いられる。代替的に、フルカラーディスプレイを形成するために、カラーフィルターとともに単一の発光層、例えば、白色光エミッターを用いることができる。カラーフィルターを含まない白色発光素子を用いることも知られている。デバイスの効率を改善するために、赤色、緑色、及び青色のカラーフィルター及びサブピクセルと、フィルターを備えていない白色サブピクセルとを含む４色ピクセルとともに、パターニングされていない白色エミッターを用いる設計が説明されている。
【０００５】
通常のディスプレイ装置のサイズは、移動デバイスにおいて用いられる小型のディスプレイから、多数の視認者が見ることができる非常に大型のディスプレイまで多岐にわたる。大型のディスプレイは、小型のディスプレイデバイスを合わせてタイル張りすることによって実現することができる。例えば、複数のビデオディスプレイを使用するビデオウォールが電子媒体において頻繁に見られ、フラットパネルディスプレイをタイル張りして、より大型のディスプレイを作り出すことができる。タイル張りされた大型の高解像度ディスプレイを作り出すために用いられる複数のプロジェクタシステムも既知である。
【０００６】
フラットパネルタイル型ディスプレイが当該技術分野において既知である。多くのフラットパネルタイル型ディスプレイ装置は、長方形のディスプレイタイルを利用し、ディスプレイタイル上の表示エリア内にピクセルアレイが形成されている。各ディスプレイタイルは別々の基板を有し、別のディスプレイタイルとエッジにおいて互いに接合されて、単一の平坦な表面を形成する。そのような構成では、ディスプレイタイル間のエッジの合わせ目が視認者から見えないようにすること、それゆえ、反射率又は光放射がディスプレイタイルの表示エリアと異ならないようにすることが重要である。さらに、タイル張りされたアレイにわたってピクセルが均一に分散するように、タイル張りされ、接合されたエッジにわたる隣接する発光ピクセル間の隙間は、表示エリア内の発光ピクセル間の隙間と同じである。
【０００７】
種々の接合タイル張り方法が、介在する接着層を用いてより大きな支持体に固定された複数の小型のパネルを含むフレーム又はエレクトロルミネッセントディスプレイパネルを用いて、互いに固定されたタイル構造を利用して１つのアレイを構成する。代替的に、タイル型ディスプレイ構造は、バックパネル上に取り付けられ、電気絶縁コネクタを通じて相互接続された複数のディスプレイタイルを含むことができるか、又は電極バス上に形成された電極セグメントを用いてバックパネル上に取り付けられた複数のディスプレイタイルを含むことができる。実装面に取り付けられたタイルは、タイルの一方の表面から光を放射することができ、第２の表面において導体を接続することができる。タイル型ディスプレイにおいてブラックマトリックス材料を使用することも既知である。タイル型ディスプレイは、ピクセルアレイ下に全ての電子回路部を配置することができる。ピクセル電極と駆動回路との間に垂直な相互接続を形成し、それにより、継ぎ目のない画像を可能にすることができる。例えば、ディスプレイタイルと一体化された分散超低倍率フライアイ光学系を利用し、タイル合わせ目の画像を実効的に除外し、不鮮明にすることによって、タイル合わせ目を見えなくする光学構造も当該技術分野において既知である。
【０００８】
一般的に、タイル合わせ目を不鮮明にするための従来技術の方法は、互いに接合されたタイルが複数のタイルにわたって共通のピクセル間距離を有するように、タイル周辺幅を小さくしようとする。他の手法では、例えば、光学構造を通じて、又はディスプレイタイル内のピクセルを制御することによって、又は特殊なタイル切断技法若しくはタイル封入技法を利用することによって、タイル合わせ目を見えにくくする。他の開示は、複数のタイルにわたる電力分配が均一であるのを確実にしようとする。
【０００９】
しかしながら、２つの互いに接合されるタイルのエッジにわたって一定のピクセル間距離を保持することは難しく、費用がかかる。詳細には、ＯＬＥＤデバイスは、環境汚染、特に水分からの保護を必要とする。そのような汚染を回避するために、ＯＬＥＤデバイスは一般的にディスプレイの周辺部を取り囲む気密シールを利用する。この気密シールによって、タイルのエッジはピクセル間距離よりも広くなる可能性がある。
【００１０】
タイル合わせ目を見えにくくするための別の技法は、ディスプレイタイルを重ね合わせることによる。例えば、出願放棄された特許文献１は、タイル型ＯＬＥＤディスプレイ構造を開示しており、ＯＬＥＤディスプレイタイルが、他のＯＬＥＤディスプレイタイル基板の非表示エリア上に積重される。同じ譲受人に譲渡された特許文献２は、背面板上に、離間されたエッジピクセルを有するタイルが積重されている、タイル型ディスプレイを開示しており、背面板は、それらの離間されたディスプレイタイルエッジピクセル間に配置されたピクセルを含む。これらの構造は複数の基板を利用し、拡張するのは容易ではなく、相互接続するのが難しい。代替的に、特許文献３は、タイルのエッジを重ね合わせて、その重なり合う部分の下にリボンケーブルコネクタが延在できるようにすることによって、エッジ合わせ目幅を小さくするディスプレイタイルのアレイを開示している。別の手法が、特許文献４及び特許文献５において記述されている。この方法は、複雑な支持構造及び複数のプリント回路基板を使用し、各プリント回路基板上に別個の基板を有する別個のディスプレイが実装される。プリント回路基板は表示面に対して或る角度を成して実装され、各プリント回路基板のエッジは、隣接するプリント回路基板のエッジと重なり合う。関連する開示では、同じ譲受人に譲渡された同時係属の特許文献６は、複数の表示素子を有する電子サイネージシステムを開示しており、１つの表示素子が別の表示素子と重なり合う。これらの設計は、１つのタイルのタイルエッジを隣接するタイルと重ね合わせることができ、それにより、タイル合わせ目幅を半分に削減することができる。しかしながら、小さなピクセル間距離を有する高解像度ディスプレイの場合に特に、この削減は不十分である可能性があり、依然としてディスプレイタイルのエッジ幅を制限する。特許文献７はフレキシブル放射ディスプレイを記述し、そのディスプレイはフレキシブル支持体に結合されるディスプレイタイルを含むことができるが、それによってタイル合わせ目の可視性を低減しない。
【先行技術文献】
【特許文献】
【００１１】
【特許文献１】米国特許出願公開第２００６／０１０８９１５号明細書
【特許文献２】米国特許第６，６１４，１７１号明細書
【特許文献３】国際公開第２００６／０２３９０１号明細書
【特許文献４】国際公開第２００３／０４２９６６号明細書
【特許文献５】米国特許第７，３６２，０４６号明細書
【特許文献６】米国特許出願公開第２００７／０００１９２７号明細書
【特許文献７】米国特許出願公開第２００９／００２１１６２号明細書
【発明の概要】
【発明が解決しようとする課題】
【００１２】
それゆえ、上記の問題を克服する改善されたタイル型ディスプレイ装置が必要とされている。
【課題を解決するための手段】
【００１４】
本発明によれば、タイル型エレクトロルミネッセントディスプレイ装置であって、
（ａ）規則的な２次元アレイに配列された複数のディスプレイタイルを備え、
各ディスプレイタイルは、
ｉ）透明フレキシブル基板、及び該透明フレキシブル基板に固定された透明フレキシブルカバーと、
ｉｉ）前記透明フレキシブル基板上に形成される第１の電極、該第１の電極上に形成される１つ又は複数の発光材料層、及び該１つ又は複数の発光材料層上に形成される第２の電極と、
を備え、
ｉｉｉ）前記第１の電極又は前記第２の電極は、表示エリアを画定する規則的な２次元の４辺ピクセルアレイの行及び列に配列された独立制御可能な発光ピクセルを形成し、前記ピクセルアレイは、前記ピクセルアレイの第１の辺のエッジに配置された第１のエッジピクセルと、前記第１の辺の反対側にある前記ピクセルアレイの第２の辺のエッジに配置された第２のエッジピクセルと、前記第１の辺及び前記第２の辺に隣接する前記ピクセルアレイの第３の辺のエッジに配置された第３のエッジピクセルと、前記第３の辺の反対側にあり、かつ前記第１の辺及び前記第２の辺に隣接する前記ピクセルアレイの第４の辺のエッジに配置された第４のエッジピクセルとを有し、各ピクセルは、２次元の各次元においてそれぞれのピクセル間距離だけ隣接するピクセルから離隔し、
ｉｖ）前記透明フレキシブル基板又は前記透明フレキシブルカバーは、それぞれの次元において、前記ピクセルアレイの４つ全ての辺において前記ピクセルアレイを前記ピクセル間距離よりも長い距離だけ越えて延在し、前記透明フレキシブル基板又は前記透明フレキシブルカバーの延長部は、前記ピクセルアレイの前記第１の辺における第１の透明タイルエリアと、前記第１の辺の反対側にある前記ピクセルアレイの前記第２の辺における第２のタイルエリアと、前記第１の辺及び前記第２の辺に隣接する前記ピクセルアレイの前記第３の辺における第３の透明タイルエリアと、前記第３の辺の反対側にあり、かつ前記第１の辺及び前記第２の辺に隣接する前記ピクセルアレイの前記第４の辺における第４のタイルエリアとを画定し、
ｖ）前記第１のタイルエリア、前記第２のタイルエリア、前記第３のタイルエリア及び前記第４のタイルエリアはピクセルを含まず、
（ｂ）前記ディスプレイタイルは、
ｉ）第１の隣接するディスプレイタイルの前記第２のエッジピクセルから放射される光が、前記第１の透明タイルエリアを透過するように、各ディスプレイタイルの前記第１の透明タイルエリアが、前記第１の隣接するディスプレイタイルの前記第２のタイルエリア上に配置され、
ｉｉ）前記第２のエッジピクセルから放射される光が第２の隣接するディスプレイタイルの前記第１の透明タイルエリアを透過するように、各ディスプレイタイルの前記第２のタイルエリアが前記第２の隣接するディスプレイタイルの前記第１のタイルエリア下に配置され、
ｉｉｉ）第３の隣接するディスプレイタイルの前記第４のエッジピクセルから放射される光が前記第３の透明タイルエリアを透過するように、各ディスプレイタイルの前記第３の透明タイルエリアが前記第３の隣接するディスプレイタイルの前記第４のタイルエリア上に配置され、
ｉｖ）前記第４のエッジピクセルから放射される光が第４の隣接するタイルの前記第３の透明タイルエリアを透過するように、各ディスプレイタイルの前記第４のタイルエリアが前記第４の隣接するディスプレイタイルの前記第３の透明タイルエリア下に配置され、
ｖ）各ディスプレイタイル及び前記隣接するディスプレイタイルの前記ピクセルアレイ内の前記ピクセルは重なり合わず、規則的な２次元ピクセルアレイを形成し、各次元においてそれぞれのピクセル間距離だけ離隔するように配置される、タイル型エレクトロルミネッセントディスプレイ装置が提供される。
【発明の効果】
【００１５】
本発明は、タイル型ディスプレイを任意にスケーリングすることができ、大きなエッジ幅を組み込んで水分又は他の環境汚染の侵入を抑制することができ、タイル合わせ目を小さくすることができ、製造に関する困難を緩和することができ、フレキシブルディスプレイ装置を提供することができ、光出力を増やすことができ、ディスプレイタイル基板上に配線及び制御回路のための基板空間を与えることができ、それにより、システムインテグレーションを改善することができるという利点を有する。
【００１６】
本発明の上記の、そして他の目的、特徴及び利点は、以下の説明及び図面とともに取り上げられるときに更に明らかになるであろう。可能であれば、複数の図面に共通である同一の機構を示すために、同一の参照番号が用いられている。
【図面の簡単な説明】
【００１７】
【図１】本発明の一実施形態による、５つのディスプレイタイルの簡略化された概略図である。
【図２】本発明の一実施形態による、ディスプレイタイルの簡略化された概略図である。
【図３】本発明を理解する際に有用な、カラーフィルターを備える有機発光ダイオードの部分断面図である。
【図４】本発明の一実施形態による、タイル型ディスプレイ内の１つのディスプレイタイルの平面図である。
【図５】本発明の一実施形態による、タイル型ディスプレイ内の代替のディスプレイタイルの平面図である。
【図６】本発明の一実施形態による、タイル型ディスプレイ内の２つの重なり合うディスプレイタイルの平面図である。
【図７】本発明の一実施形態による、タイル型ディスプレイ内の２つの重なり合うディスプレイタイルの簡略化された平面図である。
【図８】本発明の一実施形態による、タイル型ディスプレイ内の４つの重なり合うディスプレイタイルの簡略化された平面図である。
【図９】本発明の一実施形態による、タイル型ディスプレイ内の９つの重なり合うディスプレイタイルの簡略化された平面図である。
【図１０】本発明の一実施形態による、タイル型ディスプレイ内の行がオフセットされている４つの重なり合うディスプレイタイルの簡略化された平面図である。
【図１１】本発明の一実施形態による、タイル型ディスプレイ内の２つの重なり合うディスプレイタイルのエッジの部分断面図である。
【図１２】本発明の代替の実施形態による、タイル型ディスプレイ内の２つの重なり合うディスプレイタイルのエッジの部分断面図である。
【図１３】本発明の代替の実施形態による、カバー及び基板がタイルエッジにわたって異なる距離だけ延在する、タイル型ディスプレイ内の２つの重なり合うディスプレイタイルのエッジの部分断面図である。
【図１４Ａ】本発明の代替の実施形態による、ギザギザのエッジを有するディスプレイタイルの平面図である。
【図１４Ｂ】本発明の代替の実施形態による、階段状のエッジを有するディスプレイタイルの平面図である。
【図１５】本発明の代替の実施形態による、光散乱層及びカラーフィルターを含むディスプレイタイルのエッジの部分断面図である。
【図１６】本発明の一実施形態による、２つのディスプレイタイルを有するタイル型ディスプレイの２つの写真である。
【図１７】本発明の一実施形態による、ギザギザのピクセルエッジを有する部分的なタイル型ディスプレイの概略図である。
【図１８】本発明の一実施形態による、タイル張りされた配置における図１７の部分的なタイル型ディスプレイの概略図である。
【図１９】本発明の一実施形態による、タイル型ディスプレイ内の３つの重なり合うディスプレイタイルの部分断面図である。
【図２０】本発明の一実施形態による、タイル型ディスプレイ内の２つの重なり合うディスプレイタイルのエッジの部分断面図である。
【図２１】本発明の一実施形態による、チップレットコントローラーを有するディスプレイタイルの部分断面図である。
【発明を実施するための形態】
【００１８】
図中の構成要素のサイズの差が大きすぎて一定の縮尺で描くことができないので、図中の層は縮尺通りではない。
【００１９】
図１に示される本発明の一実施形態では、タイル型ディスプレイ装置が、２次元に配列された、機能的に同一であり、部分的に重ね合わせられた少なくとも５つの透明なディスプレイタイル２５、２５Ａ、２５Ｂ、２５Ｃ、２５Ｄを備えることができ、各ディスプレイタイル２５、２５Ａ、２５Ｂ、２５Ｃ、２５Ｄは、２次元アレイ１０に配列されたピクセルを含み、ディスプレイタイル２５、２５Ａ、２５Ｂ、２５Ｃ、２５Ｄは、ピクセルアレイのエッジにおいて隣接するディスプレイタイル下に配置されたピクセルによって放射される光が隣接するディスプレイタイルを通り抜けるように配置される。「部分的に重ね合わせられる」は、各ディスプレイタイルの全てではなく、１つ又は複数の部分が、隣接するディスプレイタイルの上又は下に配置されることを意味する。「機能的に同一」は、タイル型ディスプレイ装置に動作的に影響を及ぼすことなく、任意のディスプレイタイルの配置を他のディスプレイタイルのいずれかの配置と入れ替えることができることを意味する。例えば、ディスプレイタイル２５Ａは、ディスプレイタイル２５、２５Ｂ、２５Ｃ、又は２５Ｄのいずれか１つと入れ替えることができる。
【００２０】
図１を更に参照すると、本発明の一実施形態によれば、タイル型エレクトロルミネッセントディスプレイ装置が、規則的な２次元アレイに配列された複数のディスプレイタイル２５、２５Ａ、２５Ｂ、２５Ｃ、２５Ｄを備える。図２を参照すると、各ディスプレイタイル２５は、ピクセル１５のアレイを含むピクセルアレイ１０を含み、ピクセルのうちのいくつか、例えば、ピクセル１５Ａ、１５Ｂ、１５Ｃ及び１５Ｄがピクセルアレイ１０のエッジ上に配置される。ピクセルアレイ１０のエッジ上に形成されるピクセル１５Ａ、１５Ｂ、１５Ｃ及び１５Ｄは、まとめてエッジピクセル１５Ｅと呼ばれる。ピクセル１５は、透明フレキシブル基板２２上に形成され、透明フレキシブル基板２２に透明フレキシブルカバー２６が固定されている。図３に示されるように、透明フレキシブル基板２２上に第１の電極１２が形成され、第１の電極１２上に１つ又は複数の発光材料層１４が形成され、１つ又は複数の発光材料層１４上に第２の電極１６が形成され、オプションのカラーフィルター１８が放射光をフィルタリングして、発光ピクセル１５、１５Ｅを形成する。図３に示される一実施形態では、第１の電極１２は透明であり、第２の電極１６は反射性であり、放射光５が第１の電極１２及び基板２２を通り抜けるようにする。代替的に、第１の電極１２は反射性であり、第２の電極１６は透明であり、光はカバー２６を通して放射される。
【００２１】
第１の電極１２又は第２の電極１６（図３）は独立制御可能な発光ピクセル１５、１５Ｅを形成する。図２に示されるように、ピクセル１５、１５Ｅは、表示エリアを画定する規則的な２次元の４辺ピクセルアレイ１０の行及び列に配列され、ピクセルアレイ１０は、ピクセルアレイ１０の第１の辺のエッジ上に配置された第１のエッジピクセル１５Ａと、第１の辺の反対側にあるピクセルアレイ１０の第２の辺のエッジ上に配置された第２のエッジピクセル１５Ｂと、第１の辺及び第２の辺に隣接するピクセルアレイ１０の第３の辺のエッジ上に配置された第３のエッジピクセル１５Ｃと、第３の辺の反対側にあり、かつ第１の辺及び第２の辺に隣接するピクセルアレイ１０の第４の辺のエッジ上に配置された第４のエッジピクセル１５Ｄとを有し、各ピクセル１５、１５Ｅは、２次元の各次元において、隣接するピクセルからピクセル間距離ｄだけ離隔する。距離ｄは、各次元において同じとすることもできるし、異なることもできる。
【００２２】
透明フレキシブル基板２２又は透明フレキシブルカバー２６は、ピクセルアレイ１０の４つ全ての辺において、個々の次元におけるピクセル間距離ｄよりも長い距離５２、５３だけピクセルアレイ１０を越えて延在し、透明フレキシブル基板２２又は透明フレキシブルカバー２６の延長部は、ピクセルアレイ１０の第１の辺における第１の透明タイルエリア２０Ａと、第１の辺の反対側にあるピクセルアレイ１０の第２の辺における第２のタイルエリア２０Ｂと、第１の辺及び第２の辺に隣接するピクセルアレイ１０の第３の辺における第３の透明タイルエリア２０Ｃと、第３の辺の反対側にあり、かつ第１の辺及び第２の辺に隣接するピクセルアレイ１０の第４の辺における第４のタイルエリア２０Ｄとを画定する。第１のタイルエリア２０Ａ、第２のタイルエリア２０Ｂ、第３のタイルエリア２０Ｃ及び第４のタイルエリア２０Ｄはピクセル１５、１５Ｅを含まず、同じサイズを有することもできるし、異なるサイズを有することもできる。詳細には、第１の透明タイルエリア２０Ａ及び第３の透明タイルエリア２０Ｃは、ピクセルアレイ１０から同じ距離だけ延在することができる。通常、第２のタイルエリア２０Ｂ及び第４のタイルエリア２０Ｄは、後に更に検討されるように、第１の透明タイルエリア２０Ａ及び第３の透明タイルエリア２０Ｃよりもピクセルアレイ１０から遠くに延在する。
【００２３】
図１及び図２を再び参照し、図１９（断面図）も参照すると、第１の隣接するディスプレイタイル２５Ａの第２のエッジピクセル１５Ｂから放射される光５がディスプレイタイル２５の第１の透明タイルエリア２０Ａを透過するように、第１の透明タイルエリア２０Ａが、第１の隣接するディスプレイタイル２５Ａの第２のタイルエリア２１Ｂ上に配置される。第２のエッジピクセル１５Ｂから放射される光５が第２の隣接するディスプレイタイル２５Ｂの第１の透明タイルエリア２１Ａを透過するように、第２のタイルエリア２０Ｂが、第２の隣接するディスプレイタイル２５Ｂの第１のタイルエリア２１Ａ下に配置される。同様に、第２の直交する次元では、第３の隣接するディスプレイタイル２５Ｃの第４のエッジピクセル１５Ｄから放射される光が第３の透明タイルエリア２０Ｃを透過するように、第３の透明タイルエッジ２０Ｃが、第３の隣接するディスプレイタイル２５Ｃの第４のタイルエリア２０Ｄ上に配置される。第４のエッジピクセル１５Ｄから放射される光が、第４の隣接するディスプレイタイル２５Ｄの第３の透明タイルエリアを透過するように、第４のタイルエリア２０Ｄが、第４の隣接するディスプレイタイル２５Ｄの第３の透明タイルエリア２０Ｃ下に配置される。エッジ上にないピクセル１５は、それぞれのディスプレイタイルのみのカバー又は基板を通して光を放射する。エッジピクセルは隣接するディスプレイタイルを通して光を放射するピクセルであり、他のエッジピクセルに隣接するときに、ピクセルアレイの内部にあるピクセルを含むことができることに留意されたい。ディスプレイタイル２５及び隣接するディスプレイタイル２５Ａ、２５Ｂ、２５Ｃ、２５Ｄのピクセルアレイ１０内のピクセル１５、１５Ａ、１５Ｂ、１５Ｅは重ならず、規則的な２次元ピクセルアレイを形成し、各次元においてピクセル間距離ｄだけ離隔する。
【００２４】
ディスプレイタイルの一方の側では、そのディスプレイタイルの上に載置する部分（overlying portion）が隣接するディスプレイタイルの下に載置する部分（underlying portion）の上に配置され、そのディスプレイタイルの反対側では、ディスプレイタイルの異なる下部に載置する部分が異なる隣接するタイルの下に配置されるように、ディスプレイタイルを行及び列に配置し続けることによって、本発明のディスプレイは、２次元のいずれかにおいて任意のサイズにスケーリングすることができる。
【００２５】
フレキシブル基板又はフレキシブルカバーは、１つの物理的構成において基板又はカバーが作製され、製造時の構成とは異なる別の物理的構成において本発明において利用される基板又はカバー、例えば、ディスプレイタイル基板表面が単一の平面内にある平坦な構成において作製され、例えば、タイル表面が単一の平面内にない少なくとも部分的に湾曲した構成において利用される基板又はカバーである。透明基板又は透明カバーは、透明タイルエリア（例えば、第１及び第３の透明タイルエリア）内に入射する光の少なくとも５０％を透過する基板又はカバーである。基板又はカバーの残りの部分は、光がピクセルアレイから放射される場所を除いて、透明である必要はない。ピクセル間距離ｄは、ディスプレイタイル上のピクセルアレイ内のピクセル間の距離であり、かつ次元における２つの別個のディスプレイタイルのそれぞれの隣接するエッジピクセル間の距離である。ピクセル間距離ｄは、２つの次元において異なることができる。
【００２６】
図２０を参照すると、透明封入接着剤４０を用いて、ディスプレイタイルのカバー及び基板、例えば、基板２２Ｂ及びカバー２６Ｂを互いに接着し、かつ位置合わせすることができる。光学接着剤４２を用いて、２つのディスプレイタイルを互いに接着し、かつ位置合わせすることができる。エッジピクセル（例えば、１５Ｂ）の発光エリア内の光学接着剤４２は少なくとも部分的に透明であり、ディスプレイタイルカバー２６及び基板２２Ｂの屈折率と一致する屈折率を有することが好ましい。本明細書において用いられるときに、透明フレキシブル基板２２及び透明フレキシブルカバー２６は、基板及びカバーを互いに接着するために、若しくはディスプレイタイルを互いに接着するために用いられる任意の接着剤若しくは封入材料、又は２次元ピクセルアレイ内のピクセルのロケーションにおいてディスプレイタイルの重なり合う部分のピクセルアレイ外に配置された任意の電極若しくは電気導体を含む。第１及び第３の透明タイルエリア内のピクセルアレイ外のピクセルロケーション内のディスプレイタイルのアセンブリ全体は、ピクセル間に、すなわち、ピクセル間エリア内に配置された任意のブラックマトリックス２８材料を除いて透明である。
【００２７】
図３に示されるように、各ディスプレイタイル２５は、透明基板２２と、透明基板２２に固定された透明カバー２６とを含む。透明基板２２上に第１の電極１２が形成され、第１の電極１２上に１つ又は複数の発光材料層１４が形成され、１つ又は複数の発光材料層１４上に第２の電極１６が形成される。本発明のボトムエミッター実施形態では（図３に示される）、第１の電極１２は透明にすることができ、第２の電極１６は反射性にすることができる。代替的に、トップエミッター構成（図示せず）では、第１の電極１２は反射性にすることができ、第２の電極１６は透明にすることができる。基板のいずれかの側に（ボトムエミッターの場合）、又はカバーのいずれかの側に（トップエミッターの場合）カラーフィルター１８を含み、電極１２、１６によって１つ又は複数の発光材料層１４に電流が加えられるときに、１つ又は複数の発光材料層１４によって放射される光５をフィルタリングすることができる。図２に示されるように、ピクセル間にブラックマトリックス材料を配置して、周囲光又は迷放射光を吸収することができる。１つ又は複数の発光材料層１４によって放射される光は白色とすることもできるし、着色することもできる。１つ又は複数の発光材料層１４は、パターニングすることも、しないこともできる。それゆえ、カラーフィルター１８はオプションである。
【００２８】
図４を参照すると、第１の電極１２又は第２の電極１６をパターニングして、規則的な２次元ピクセルアレイ内の行及び列に配列された独立制御可能な発光ピクセル１５、１５Ｅが形成される。ピクセルアレイはピクセルアレイのエッジに配置されたエッジピクセル１５Ｅを有し、各ピクセル１５、１５Ｅは２次元の各次元においてピクセル間距離ｄだけ隣接するピクセル１５、１５Ｅから離隔する。１つの次元におけるピクセル間距離ｄは、別の次元におけるピクセル間距離ｄと同じにすることができるが、必ずしも同じである必要はない。ピクセルは２次元アレイ内の格子点に配置されるが、全ての格子点がピクセルを有する必要はない。詳細には、エッジピクセルは、後に更に検討されるように、直線でない配列を有することができる。ピクセルは正方形にすることができるが、必ずしも正方形である必要はない。明確にするために、図は、両方の次元において共通のピクセル間距離ｄだけ離隔した正方形ピクセルを示す。ディスプレイタイル２５の基板及びカバーは、ピクセルアレイのそれぞれの次元及びそれぞれの辺において、ピクセル間距離ｄよりも長い距離５２、５３だけピクセルアレイの４つ全ての辺においてピクセルアレイを越えて延在する。図に示されるように、ディスプレイタイルは、ピクセルアレイの一方の辺（例えば、第１のタイルエリア２０Ａ及び第３のタイルエリア２０Ｃの場合に５２）において、反対側の辺（例えば、第２のタイルエリア２０Ｂ及び第４のタイルエリア２０Ｄの場合に５３）よりもエッジピクセルを越えて遠くに延在することができるが、必ずしもそうである必要はない。ディスプレイタイルの更なる広がりは、隣接するディスプレイタイル下に配置することができる。
【００２９】
図１１を参照すると、一実施形態におけるタイル型エレクトロルミネッセントディスプレイ装置は、ピクセルアレイの外側及びピクセル１５間のピクセルアレイの内側において基板又はカバーのいずれかの側に形成されるブラックマトリックス材料２８を更に含む。ディスプレイタイルの基板及びカバーの垂直エッジ３４に沿って光吸収材料２９を配置することもできる。そのような光吸収材料は、周囲光を吸収して、ディスプレイコントラストを改善する。光吸収材料はピクセルによって放射される迷光も吸収し、光がディスプレイタイル基板又はカバーの垂直エッジから漏れるのを防ぐ。水分を吸収するために、乾燥剤４４を含むことができる。
【００３０】
本発明の一実施形態では（例えば、図１１に示される）、第１の透明タイルエリア又は第３の透明タイルエリアは、対応する隣接するタイル上の２つのピクセル間に側面に沿って（laterally）配置された垂直エッジ３４を有する。
【００３１】
ピクセルが共通の幅を有する本発明の関連する実施形態では、ディスプレイタイルカバー及び基板のピクセル幅に対応する方向における広がりは、基板２２、２２Ａ（図１２）上のピクセル１５ブラックマトリックス２８のレイアウトに合わせられる。図１２に示されるように、ディスプレイタイル２５の基板２２及びカバー２６は、ｎ（ｘ＋ｄ）以上、かつｎ（ｘ＋ｄ）＋ｄ以下の距離５０だけ、ピクセルアレイの辺を越えて延在する。ただし、ｎは正の整数であり、ｘは基板及びカバーがピクセルアレイの辺を越えて延在する方向におけるピクセル幅であり、ｄは基板及びカバーがピクセルアレイの辺を越えて延在する、対応する方向におけるピクセル間距離である。そのような構成は、隣接するディスプレイタイル（例えば、２５Ａ）のブラックマトリックスの上又は下にディスプレイタイルカバー及び基板エッジを配置する。このロケーションにおいて、ディスプレイタイルカバー及び基板エッジ（並びにディスプレイタイルカバー及び基板エッジから漏れる任意の光）はブラックマトリックスによって遮蔽される。ディスプレイタイル２５Ａの基板２２Ａ及びカバー２６Ａがディスプレイタイル２５下に配置される場所では、その広がりは重要でないことに留意されたい。しかしながら、ディスプレイタイル２５の基板２２及びカバー２６がディスプレイタイル２５Ａ上（光放射方向に）に配置される場所では、ディスプレイタイル２５Ａのブラックマトリックス２８及びピクセル１５、１５Ｅに対する基板２２及びカバー２６エッジのロケーションは重要である。代替の構成では、エッジから漏れる光をピクセルから放射される光５によって遮蔽できるように、隣接するタイルに対するディスプレイタイルのカバー及び基板のエッジがピクセル上に配置される。
【００３２】
ピクセルに電力を与え、その制御を容易にするために、ピクセル電極をコントローラー、通常、集積回路に電気的に接続する必要がある。電気的接続、及びオプションでコントローラーは、ピクセル電極と同じ基板上に配置することができ、高い集積度を与えることができる。しかしながら、電気的接続及びコントローラーは、基板上で、ピクセル間のピクセル間距離ｄよりも大きな空間を占有する可能性がある。図４を再び参照すると、本発明の一実施形態では、ディスプレイタイル２５の基板及びカバーの第２のタイルエリア２０Ｂ及び第４のタイルエリア２０Ｄは、ピクセルアレイ１０の２つの隣接する辺において、ピクセルアレイの２つの隣接する辺の反対側にあるピクセルアレイの２つの辺（すなわち、第１の透明タイルエリア２０Ａ及び第３の透明タイルエリア２０Ｃ）上の距離５２よりも長い距離５３だけ延在する。第１の電極１２又は第２の電極１６の延長された電極部分６０は、第２及び第４のタイルエリア上の対応するピクセル間距離ｄよりも長い距離だけ延在し、第１の電極１２又は第２の電極１６は、ピクセルアレイの２つの反対側にある辺において、ピクセルアレイを越えて対応するピクセル間距離ｄよりも長い距離だけ延在しない。それゆえ、ディスプレイタイルの２つの隣接する辺は、ピクセルアレイから、より遠くに延在し、その上に配置された、不透明又は透明な、ワイヤのような電気的接続及びコントローラーを有することができる。反対側の辺上には電気的接続又はコントローラーは配置されないので、反対側の辺は遠くに延在する必要はない。本発明の一実施形態によれば、ディスプレイタイルの第２及び第４のタイルエリアは隣接するディスプレイタイル下に配置され、反対側にある第１及び第３のタイルエリアは、反対側の辺において隣接するディスプレイタイル上に配置される。それゆえ、この構成では、第１のディスプレイタイルの延長された電極部分の少なくとも或る部分は第２のディスプレイタイルのピクセルアレイ下に配置され、それにより、電極及びコントローラーを見えないようにする。
【００３３】
図４は、２つのコントローラー３０Ａ、３０Ｂと、ディスプレイタイル２５の第２のタイルエリア２０Ｂ及び第４のタイルエリア２０Ｄ上に配置された延長された電極部分６０とを有する実施形態を示しており、パッシブマトリックス制御方式において、一方のコントローラー３０Ａが行電極（例えば、１２）を制御し、他方のコントローラー３０Ｂが列電極（例えば、１６）を制御する。図４では、第２のタイルエリア２０Ｂ及び第４のタイルエリア２０Ｄはいずれもコントローラー３０Ａ又は３０Ｂと、コントローラーによって制御されるそれぞれの電極とを含む。図５に示される代替の実施形態では、第２のタイルエリア２０Ｂは、延長された電極部分６０Ａのみを含み、その延長された電極部分はピクセル電極１２を第４のタイルエリア２０Ｄ上に配置されたコントローラー３０に接続する。第４のタイルエリア２０Ｄは、ピクセル電極１６をコントローラー３０に接続する延長された電極部分６０Ｂを含む。したがって、コントローラー３０は、延長された電極部分６０Ａ及び６０Ｂ、例えば、行電極１２及び列電極１６に接続され、ピクセル１５及びエッジピクセル１５Ｅを制御する。本発明の一実施形態では、１つ又は複数のコントローラーはチップレットである。図２１を参照すると、チップレット６２は、フレキシブル透明ディスプレイタイル基板２２、又は図示されないカバー（通常はガラス又はプラスチック）とは別の、シリコンのような半導体基板内に、又は半導体基板上に形成される、パッケージされない小さな集積回路である。チップレット６２は、例えば、２００９年２月１８日に出願された、同じ譲受人に譲渡され、現在係属中の米国特許出願公開第１２／３７２，９０６号において開示されるように、ディスプレイタイル基板２２上に印刷し、当該技術分野において既知である金属ワイヤ及びフォトリソグラフィ技法を用いて、接続パッド６８によってピクセル電極１２、１６及び電気的接続に接続することができる。絶縁及び平坦化層１７を用いて、電気的接続の形成を助けることができる。発光材料層１４が電極１２と１６との間に形成される。本発明の更なる実施形態では、第１のディスプレイタイルコントローラーを通信バス６４（図６）、例えば、シリアルバスを用いて、第２のディスプレイタイルコントローラーに電気的に接続することができる。コントローラーは、各ディスプレイタイル内のピクセルに対してパッシブマトリックス制御を提供することができるか（図４及び図５に示される）、又はアクティブマトリックス制御を提供することができる。
【００３４】
図６は、本発明の一実施形態による２つの重なり合うディスプレイタイルの平面図であり、図５の構成及び図２０の側面図に対応する。下部に載置するディスプレイタイル２５Ｂは、上部に載置するディスプレイタイル２５Ａから区別するために、破線で描かれる。下部に載置するディスプレイタイル２５Ｂの第２のタイルエリアの少なくとも一部が、上部に載置するディスプレイタイル２５Ａのピクセルアレイ下に配置される。各ディスプレイタイル２５Ａ、２５Ｂはそれぞれコントローラー３０Ａ、３０Ｂを含む。各ディスプレイタイルのためのコントローラーは、通信バス６４、例えばシリアルバスによって相互接続することができる。代替的に、パラレルバスのような他のバスを用いることができる。
【００３５】
本発明の更なる実施形態では、更に多くのディスプレイタイルをディスプレイ装置に組み込むことができる。図７を参照すると、２つのディスプレイタイル２５Ａ及び２５Ｂの簡略化された平面図が示されており、ディスプレイタイル２５の一部（第２のタイルエリア）がディスプレイタイル２５Ｂの一部の下にある破線で示されている。図８を参照すると、それぞれ第１、第２、第３及び第４と呼ばれる４つのディスプレイタイル２５、２５Ｂ、２５Ｄ、２５Ｈが示されており、規則的な２次元ピクセル及びタイル構造内に位置合わせされ、エッジピクセル１５Ｅが示される。それゆえ、第１のディスプレイタイル２５及び第２のディスプレイタイル２５Ｂはディスプレイタイルの第１の行を形成する。第３のディスプレイタイル２５Ｄ及び第４のディスプレイタイル２５Ｈはディスプレイタイルの第２の行を形成する。第１のディスプレイタイル２５は最も下に示されており、第２のディスプレイタイル２５Ｂが第１のディスプレイタイル２５の右側部分（第２のタイルエリア）の上に重なる。同様に、第４のディスプレイタイル２５Ｈは、第３のディスプレイタイル２５Ｄの右側部分（第２のタイルエリア）の上に重なるように示される。第３のディスプレイタイル２５Ｄは、第１のディスプレイタイル２５の最も下の部分（第４のタイルエリア）と、第２のディスプレイタイル２５Ｂのさらに小さな部分の上に重なる。第４のディスプレイタイル２５Ｈは最も上にある。それゆえ、本発明の一実施形態によれば、第１のディスプレイタイルピクセルアレイのうちの、第２のディスプレイタイルと異なる側にある少なくとも１つのエッジピクセル１５Ｅが、第３のディスプレイタイルピクセルアレイの一方の側にある少なくとも１つのエッジピクセル１５Ｅに隣接し、かつそのエッジピクセルから対応するピクセル間距離だけ離隔するように、第３のディスプレイタイル２５Ｄの一部（第３のタイルエリア）が第１のディスプレイタイル２５の一部の上に配置され、第１のディスプレイタイル２５の隣接するエッジピクセル（複数の場合もあり）によって放射される光が第３のディスプレイタイル２５Ｄの基板及びカバーを通り抜けるように、隣接する第１のディスプレイエッジピクセル（複数の場合もあり）の少なくとも一部が第３のディスプレイタイルの透明な基板及びカバーの下に配置される。
【００３６】
さらに、第２のディスプレイタイルピクセルアレイのうちの、第１のディスプレイタイルと異なる側にある少なくとも１つのエッジピクセルが、第４のディスプレイタイルピクセルアレイの一方の側にある少なくとも１つのエッジピクセルに隣接し、かつそのエッジピクセルから対応するピクセル間距離だけ離隔するように、第４のディスプレイタイル２５Ｈの一部が第２のディスプレイタイル２５Ｂの一部の上に配置され、第２のディスプレイタイルの隣接するエッジピクセル（複数の場合もあり）によって放射される光が第４のディスプレイタイルの基板及びカバーを通り抜けるように、隣接する第２のディスプレイエッジピクセル（複数の場合もあり）が第４のディスプレイタイルの透明な基板及びカバーの少なくとも一部の下に配置される。第３のディスプレイタイルピクセルアレイの一方の側にある少なくとも１つのエッジピクセルが第４のディスプレイタイルピクセルアレイの一方の側にある少なくとも１つのエッジピクセルに隣接し、かつそのエッジピクセルから対応するピクセル間距離だけ離隔するように、第３のディスプレイタイルの一部が第４のディスプレイタイルの一部の下に配置され、第３のディスプレイタイルの隣接するエッジピクセル（複数の場合もあり）によって放射される光が第４のディスプレイタイルの基板及びカバーを通り抜けるように、第４のディスプレイタイルの透明な基板及びカバーが隣接する第３のディスプレイエッジピクセル（複数の場合もあり）の少なくとも一部の上に配置される。図８に示されるように、光は、第１及び第２のディスプレイタイルの両方の基板及びカバーも通って放射される。
【００３７】
図９は（図１と比較して）、９つのディスプレイタイル、すなわち、ディスプレイタイル２５、並びに隣接する８つのディスプレイタイル２５Ａ、２５Ｂ、２５Ｃ、２５Ｄ、２５Ｅ、２５Ｆ、２５Ｇ及び２５Ｈへのタイル構造の更なる拡張を示す。本発明のこの実施形態では、タイル型エレクトロルミネッセントディスプレイ装置は、第５の隣接するディスプレイタイル２５Ｅ及び第６の隣接するディスプレイタイル２５Ｆを更に含む。第５の隣接するディスプレイタイル２５Ｅの第２のエッジピクセルから放射される光が第３の隣接するディスプレイタイル２５Ｃの第１の透明タイルエリアを透過するように、第３の隣接するディスプレイタイル２５Ｃの第１の透明タイルエリアが、第５の隣接するディスプレイタイル２５Ｅの第２のタイルエリアの上に配置される。第５の隣接するディスプレイタイル２５Ｅの第４のエッジピクセルから放射される光が第１の隣接するディスプレイタイル２５Ａの第３の透明タイルエリアを透過するように、第１の隣接するディスプレイタイル２５Ａの第３の透明タイルエリアが、第５の隣接するディスプレイタイル２５Ｅの第４のタイルエリアの上に配置される。第３の隣接するディスプレイタイル２５Ｃの第２のエッジピクセルから放射される光が第６の隣接するディスプレイタイル２５Ｅの第１の透明タイルエリアを透過するように、第６の隣接するディスプレイタイル２５Ｆの第１の透明タイルエリアが、第３の隣接するディスプレイタイル２５Ｃの第２のタイルエリアの上に配置される。第６の隣接するディスプレイタイル２５Ｆの第４のエッジピクセルから放射される光が第２の隣接するディスプレイタイル２５Ｂの第３の透明タイルエリアを透過するように、第２の隣接するディスプレイタイル２５Ｂの第３の透明タイルエリアが、第６の隣接するディスプレイタイル２５Ｆの第４のタイルエリアの上に配置される。ディスプレイタイル２５Ｇ、２５Ｄ及び２５Ｉは、ディスプレイタイル２５Ａ、２５及び２５Ｂがディスプレイタイル２５Ｅ、２５Ｃ及び２５Ｆに対するのと同じように、ディスプレイタイル２５Ａ、２５及び２５Ｂに対して配列される。ディスプレイタイルのピクセルアレイ内のピクセル及び９つのディスプレイタイルのピクセルアレイ内のピクセルは重なり合わず、規則的な２次元のピクセルアレイを形成し、各次元においてそれぞれのピクセル間距離だけ離隔する。
【００３８】
図８に示されるように、４つのディスプレイタイルが重なり合う場所の最も下にあるディスプレイタイルの角にあるエッジピクセルは、最も下にあるディスプレイタイル２５の基板、一方の側にある隣接するディスプレイタイル２５Ｂの基板及びカバー、別の隣接する側にある隣接するディスプレイタイル２５Ｄの基板及びカバー、並びに最も上にあるディスプレイタイル２５Ｈの基板及びカバーを通して、光を放射することができる。ピクセルが光を放射する際に通す基板及びカバーの数を減らすために、図１０に示される本発明の更なる実施形態によれば、第３のディスプレイタイル２５Ｄ及び第４のディスプレイタイル２５Ｈが、第１のディスプレイタイル２５及び第２のディスプレイタイル２５Ｂに対して横方向にオフセットされる。オフセットは、行内に位置合わせされるディスプレイタイルが、隣接する行に対して列内で同じように位置合わせされないことを意味する。しかしながら、全てのディスプレイタイルのピクセルは依然として規則的な２次元アレイに配列され、各次元において共通のピクセル間距離を有する。
【００３９】
本発明によれば、ディスプレイタイルのカバー及び基板は可撓性である。この可撓性によって、基板及びカバーが平坦である、例えば、単一の平面内に１つの表面を有するときにディスプレイタイルを作製できるようになり、製造プロセスを簡単にすることができる。図１９を再び参照すると、ディスプレイタイルが作製されると、該ディスプレイタイルを曲げて、第２のディスプレイタイル２５Ａの平坦な部分２４Ｃの上に第１のディスプレイタイル２５の第１の平坦な部分２４Ａを配置する。ディスプレイタイル２５Ａの平坦な上部に載置する部分２４Ａのエッジにおいて、曲面を成す部分２４Ｂがディスプレイタイル２５の残りの平坦な部分２４Ｃを隣接するディスプレイタイル２５Ａの平坦な部分２４Ｃと同じ平面に移行させる。ディスプレイタイル２５の平坦な部分２４Ｃは、ディスプレイタイル２５の平坦な部分２４Ａよりもはるかに大きいので、隣接するディスプレイタイルの上に重なる小さな平坦な部分２４Ａ及びディスプレイタイルのエッジ付近の曲面を成す部分２４Ｂを除いて、ディスプレイタイル基板は共通の平面内に概ね配置されることになる。本発明の一実施形態では、大きい方の平坦な部分（例えば、２４Ｃ）のピクセルは表示面に対して平行であるか、又は実際に表示面内にある。小さい方の平坦な部分２４Ａも同じ表示面に対して平行とすることができるが、視認方向に僅かにオフセットされる。
【００４０】
図１３の側面図において示される本発明の一実施形態では、基板がカバーのエッジを或る距離だけ越えて延在するように、又はカバーが基板のエッジを或る距離だけ越えて延在するように、ディスプレイタイルのカバー及び基板が異なるサイズを有し、異なる平面内に配置されるようにすることによって、単一の平面内のディスプレイタイルエッジの垂直長が短縮される。図１３では、カバー２６Ａはディスプレイタイル２５Ａの基板２２Ａよりも距離５４Ａだけ遠くに延在する。対照的に、ディスプレイタイル２５Ｂの基板２２Ｂは、カバー２６Ｂよりも距離５４Ｂだけ遠くに延在する。異なるサイズの基板及びカバーを用いることによって、カバー又はエッジから漏れる光がより広く分散し、見えにくくなる。
【００４１】
図１４Ａ及び図１４Ｂに示される本発明の他の実施形態では、ディスプレイタイル２５のカバー及び基板のエッジは、ギザギザ又は階段状にされる。図１４Ａでは、エッジはギザギザの繰返しパターンを形成し、図１４Ｂでは、エッジは階段を形成する。長い直線のエッジは人の視覚系によって容易に知覚されるので、ディスプレイタイルの１つ又は複数の辺においてギザギザ又は階段状のエッジを用いて、タイル型ディスプレイ装置のエッジの可視性を低減する。エッジ方向における変化は、互いに直交することができ、ピクセル幅、ピクセル間距離ｄ、又は２つの和の増分においてもたらすことができる。
【００４２】
タイル型ディスプレイ技術分野において既知であるように、ディスプレイタイル間の目に見える合わせ目は不快である。これらの目に見える合わせ目は、不規則なピクセルレイアウト、エッジにおける不均一な光出力、ディスプレイタイルエッジにおける周囲反射の変化、及びタイルエッジからの放射光漏れに起因する可能性がある。これらの難点は、本発明によって大きく軽減される。フレキシブル透明基板及びカバーを用いることによって、１つのディスプレイタイルエッジを隣接するタイル下に配置することができる。さらに、隣接するタイル下に配置されるディスプレイタイル部分のサイズを大きくして、コントローラー及びワイヤ配線のための付加的な空間を与えることができる。それゆえ、ボトムエミッター構成では、ワイヤがピクセル間に配置される必要はなく、それにより、ボトムエミッターエレクトロルミネッセントディスプレイのアパーチャー比及び寿命が改善される。エリア放射（area-emissive）エレクトロルミネッセント材料を利用することによって、光出力はランバート放射になり、それゆえ、ディスプレイタイルの曲面を成す部分から放射される光は、平坦な部分から放射される光と区別できない。透明な基板及びカバーを設けることによって、１つのディスプレイタイルからの光を、上部に載置するディスプレイタイルの基板及びカバーを通して放射することができるので、ディスプレイタイル周辺においてエッジを広げることができる。これらの広いエッジは作製するのがより容易であり、封入接着剤又は基板自体を通しての有害な水分の侵入を防ぐために、より広いシールを提供する。フレキシブル基板は通常、プラスチック、例えば、ポリエチレンテレフタレート（ＰＥＴ）又はポリエチレンナフタレート（ＰＥＮ）を用いるので、プラスチック自体を通しての水分侵入が問題となる可能性がある。広いエッジを設けることによって、デバイスの寿命を延ばすことができる。さらに、フレキシブル基板及びカバーは、ガラス又は他の無機基板に比べて、非常に薄く、例えば、５０ミクロンにすることができ、かつ可撓性にすることができる。薄い基板及びカバーは、平坦な基板部分に対して垂直以外の角度で視認されるときに特に、ディスプレイタイルエッジの可視性を低減する。周囲光の反射及び屈折、並びに垂直エッジからの放射光の反射及び屈折はいずれも低減される。
【００４３】
それゆえ、本発明の更なる実施形態によれば、基板、カバーのいずれか、又は両方が、１つ又は両方の次元におけるピクセル間距離以下の厚みを有する。代替的に、基板、カバーのいずれか、又は両方が、少なくとも１つの次元におけるピクセル幅以下の厚みを有する。図２０は、基板がピクセル間距離又はピクセル幅のいずれかよりも薄い事例を示す。
【００４４】
薄いカバー又は基板は、拡散層を利用してエレクトロルミネッセントディスプレイ内のピクセルから閉じ込められた光を取り出す際に見られる可能性がある鮮鋭度の損失を低減することが当該技術分野において既知である。それゆえ、本発明の別の実施形態によれば、放射光拡散素子を１つ又は複数の発光材料層と光学的に一体化することができる。図１５を参照すると、放射光拡散素子６６が、ＯＬＥＤピクセル内の１つ又は複数の発光材料層１４と光学的に一体化される。「層と光学的に一体化される」とは、その層内に閉じ込められた任意の光が放射光拡散素子によって向きを変更されることを意味する。そのような放射光拡散素子を利用することによって、発光材料層１４、電極１２、１６、基板２２又はカバー２６内に閉じ込められた任意の放射光をディスプレイタイルから放射することができ、それにより、ディスプレイの効率を改善することができる。ディスプレイタイルカバー及び基板厚はピクセル間距離ｄ又はピクセル幅よりもはるかに薄くすることができるので、ディスプレイタイル鮮鋭度は保持される。
【００４５】
本発明の更なる利点は、ディスプレイ及びディスプレイタイルを低コストで作製できることである。ＯＬＥＤディスプレイ技術分野において既知であるように、大きな基板上で発光材料をパターニングするのは難しく、費用がかかる。それゆえ、本発明の更に別の実施形態では、ディスプレイタイルは、ピクセルに対応して配置されたカラーフィルターのアレイと、カラーフィルター間に配置されたブラックマトリックスとを更に含むことができ、１つ又は複数の発光材料層はパターニングされず、白色光を放射して、フルカラータイル型ディスプレイを形成する。再び図１５を参照すると、ディスプレイタイルは、ピクセルアレイのエッジにある光吸収材料がその上に形成される基板２２と、ピクセルアレイ内にあり、かつパターニングされたピクセル制御電極１２及び共通電極１６に対応するブラックマトリックス２８及びカラーフィルター素子２７とを含む。ブラックマトリックス２８及びカラーフィルター素子２７上には、放射光拡散素子６６を形成する光散乱層が配置される。この素子６６は他の場所、例えば、基板のいずれかの側に、又は電極１６と光学的に接触して配置することもできる。放射光拡散素子６６、又はブラックマトリックス２８及びカラーフィルター２７上に、第１のパターニングされた電極１２、１つ又は複数の発光材料層１４及び第２の共通電極１６が形成される。封入カバー２６が基板２２に接着される。水分を吸収するために、封入カバー２６内で乾燥剤４４を用いることができる。
【００４６】
動作時に、外部の画像源によって、コントローラーを接続する接続バスを通じて、上記のように配列された複数のディスプレイタイルのそれぞれに画像、例えば、デジタル画像が供給される。コントローラーは、その画像情報に従って、ディスプレイタイルピクセルを駆動するための信号を生成する。その信号はディスプレイタイル基板上に形成される行電極及び列電極に送信され、それによりピクセルが光を放射する。ディスプレイタイルピクセルエリアの大部分において、ピクセルはタイル型ディスプレイ装置から直接光を放射する。一方、上部に載置するディスプレイタイル下に配置された任意のエッジピクセルは、上部に載置するディスプレイタイルを通して光を放射することになる。
【００４７】
本発明は、任意に拡張することができる拡張可能ディスプレイ装置を提供するという利点を有する。ピクセルエリア内のディスプレイタイルのアパーチャー比を小さくすることなく、エッジを大きくすることができ、そのディスプレイタイルは、コントローラーはもとより、基板上に電極及び電気バス線を容易に組み込むことができる。エレクトロルミネッセントエミッターとともに薄いフレキシブルディスプレイ基板を用いることによって、ピクセルからの光放射は均一であり、ディスプレイタイル合わせ目の可視性は大きく低減される。さらに、光出力を改善するために光拡散素子が用いられるときでも、鮮鋭度が保持される。さらに、１つ又は複数の発光材料層内の有機材料のための環境保護が改善される。ディスプレイタイルを制御するために、独立した基板を有する（例えば、結晶シリコンを含む）チップレットを用いることによって、従来の薄膜回路部の場合に見られるよりも、高い性能及び小さなサイズを達成することができる。フレキシブル基板、特にポリマーを含む基板は通常、低いプロセス温度しきい値を有する。別個の基板上に独立して作製され、その後、フレキシブルディスプレイタイル基板上に印刷されるチップレットは、従来の薄膜回路部と同じ高温プロセス要件を課さないので、それによって、フレキシブル基板上に、相対的に低コストで高い集積度を有する高性能の回路を作製することが可能になる。そのようなチップレットは、１００ミクロン未満、又は２０ミクロン未満、例えば、１２ミクロンの厚みを有することができる。
【００４８】
図６は、本発明の一実施形態に従って構成されるディスプレイ装置の図を示す。ディスプレイタイルは、水分障壁層を有するＰＥＴ基板上に構成され、封入カバーのためにも同じ材料が用いられた。各タイルは、緑色光発光ＯＬＥＤの３２×３２アレイを有した。図１６は、上記のように重ね合わせられた２つのディスプレイタイルを用いる、動作中のディスプレイ装置の２つの写真を示す。下の方の画像は、２つのディスプレイタイルを分離して各ディスプレイタイル上に表示される画像部分を示しているコアラの画像である。上の方の画像は、結合されたディスプレイタイル構造によって表示される画像である。ディスプレイタイルが注意深く位置合わせされるとき、設定された視認距離において合わせ目は見えない。さらに、下部に載置するエッジピクセルによって放射される光は、他のピクセルと明らかには異ならない。
【００４９】
図８は、４つのディスプレイタイル及びディスプレイタイルあたり１つのコントローラーを有する、本発明の別の実施形態に従って構成されるディスプレイ装置の図を示す。この装置は、垂直な黒色光吸収材料を使用し、４ディスプレイタイルスタックの最も下にあるエッジピクセルがピクセルアレイ内の他のピクセルと明らかには異ならないことを実証する。拡大すると、垂直に対する或る角度において、ディスプレイタイルからの或る量の光漏れを見ることができるが、設計された視認距離では、ディスプレイタイル合わせ目は見えず、周囲光の不均一性も観測されなかった。
【００５０】
本発明の付加的な実施形態では、上部に載置するタイルを有するピクセルからの放射が、基板の付加的な層、封入カバー又は接着剤における光吸収を補償されるように、各タイルに送信されるソース画像データを調整することによって、輝度均一性を確保することができる。
【００５１】
本発明のピクセルアレイは、２次元アレイを形成する。ピクセルが長方形の格子を形成するように、アレイ内の各ロケーションがピクセルを含むことができる。しかしながら、本発明の付加的な利点は、ピクセルアレイ周囲のより広い周辺部を用いて、隣接するピクセル間のタイル間境界を見つけることが更に難しくなるような、非長方形のピクセルアレイを作製できることである。本発明のこの実施形態では、ディスプレイタイル内の発光ピクセルは、全てのピクセルアレイロケーションに配置される必要はない。代わりに、マルチタイルディスプレイ全体が、アレイ内の各点に配置されたピクセルを含む。単一のディスプレイタイル内では、ピクセルは、２次元格子内のアレイロケーションの全てではなく、いくつかに配置することができる。エッジピクセルは、米国特許第６，８８１，９４６号において検討されるように不規則なパターンに配置することができる。非直線の辺を有するピクセルのアレイは、位置合わせ及び輝度の変動を見えなくする。例えば、図１７に示されるように、ディスプレイタイルは、ピクセルアレイのエッジにおいて、非直線的な鋸歯ピクセルパターンを有することができる。本発明のこの実施形態では、ディスプレイタイル２５は、透明な電極１２と、反射性の電極１６とを有することができる。電極１２及び１６の重なり合う部分は、パッシブマトリックス制御によって駆動することができるピクセル１５、１５Ｅの２次元格子パターンを形成する。エッジピクセル１５Ｅは、隣接するディスプレイタイルの基板及びカバーを通して光を放射する全てのピクセルを含み、必ずしもピクセルアレイの最も外側の行又は列上にあるとは限らない。ギザギザピクセルエッジを有する６つのディスプレイタイルの２次元のタイル張りが、ディスプレイタイル２５Ａ、２５Ｂ、２５Ｃ、２５Ｄ、２５Ｅ、２５Ｆに関して図１８において示される。
【００５２】
本発明のディスプレイタイルのフレキシブル基板及びカバーは、例えば、ＰＥＴ又はＰＥＮのようなポリマーを含むことができる。基板及びカバーの一部として無機障壁層を形成して、水分のような環境汚染物質が侵入するのを阻止することができる。透明フレキシブルカバーは、基板の上方若しくは基板上に直接コーティングされる薄い層を含むことができるか、又は基板に接着される別個に構成されたフィルムを含むことができる。ピクセルは、例えば、アルミニウム又は銀の反射性電極、及び酸化インジウムスズ、酸化アルミニウム亜鉛又は酸化インジウム亜鉛のような金属酸化物の透明電極を含むことができる。そのような導体は、スパッタリング又は蒸着によって基板上に堆積し、マスクを用いて、又はフォトリソグラフィによってパターニングすることができる。蒸着又はスパッタリングされた金属から金属ワイヤを形成し、マスク又はフォトリソグラフィによってパターニングすることもできる。代替的に、硬化した導電性インクを用いて、電気導体を構成することができる。発光層及び電荷制御層は、ＯＬＥＤ技術分野において既知であるような有機材料又は無機材料を含むことができ、蒸着によって堆積することができ、パターニングされる場合には、マスクを通して堆積することができる。透明接着剤及び封入接着剤も当該技術分野において既知である。
【００５３】
本発明はマルチピクセルインフラストラクチャを有するデバイスにおいて用いることができる。詳細には、本発明は、有機又は無機のいずれかのＬＥＤデバイスで実施することができ、情報表示デバイスにおいて特に有用である。好ましい実施形態では、本発明は、限定はしないが、Tang他に対する米国特許第４，７６９，２９２号及びVan Slyke他に対する米国特許第５，０６１，５６９号に開示されるような、小分子ＯＬＥＤ又はポリマーＯＬＥＤから構成されるＯＬＥＤデバイスのタイル張りされたフラットパネルアレイにおいて用いられる。例えば、多結晶半導体マトリックス内に形成される量子ドットを用い（例えばKahenによる米国特許出願公開第２００７／００５７２６３号において教示されている）、有機電荷制御層若しくは無機電荷制御層を用いる無機デバイス、又はハイブリッド有機／無機デバイスを用いることができる。有機発光ディスプレイ又は無機発光ディスプレイの数多くの組み合わせ及び変形を用いて、トップエミッターアーキテクチャを有するか又はボトムエミッターアーキテクチャを有するアクティブマトリックスディスプレイを含む、そのようなデバイスを製造することができる。
【００５４】
本発明は、或る特定の好ましい実施形態を特に参照しながら詳細に説明されてきたが、本発明の趣旨及び範囲内で変形及び変更を実施できることが理解されよう。
【符号の説明】
【００５５】
ｄ  ピクセル間距離
ｘ  ピクセル幅
５  光
１０  ピクセルアレイ、ピクセルエリア
１２  第１の電極
１４  発光材料層
１５  発光ピクセル
１５Ａ  第１のエッジピクセル
１５Ｂ  第２のエッジピクセル
１５Ｃ  第３のエッジピクセル
１５Ｄ  第４のエッジピクセル
１５Ｅ  エッジピクセル
１６  第２の電極
１７  平坦化絶縁層
１８  カラーフィルター
２０Ａ  第１の透明タイルエリア
２０Ｂ  第２のタイルエリア
２０Ｃ  第３の透明タイルエリア
２０Ｄ  第４のタイルエリア
２１Ａ  第１の透明タイルエリア
２１Ｂ  第２のタイルエリア
２２  基板
２２Ａ  基板
２２Ｂ  基板
２４Ａ  平坦なディスプレイタイル部分
２４Ｂ  曲面を成すディスプレイタイル部分
２４Ｃ  平坦なディスプレイタイル部分
２５  ディスプレイタイル
２５Ａ  隣接するディスプレイタイル
２５Ｂ  隣接するディスプレイタイル
２５Ｃ  隣接するディスプレイタイル
２５Ｄ  隣接するディスプレイタイル
２５Ｅ  ディスプレイタイル
２５Ｆ  ディスプレイタイル
２５Ｇ  ディスプレイタイル
２５Ｈ  ディスプレイタイル
２６  カバー
２６Ａ  カバー
２６Ｂ  カバー
２７  カラーフィルター
２８  ブラックマトリックス
２９  光吸収材料
３０  コントローラー
３０Ａ  行コントローラー
３０Ｂ  列コントローラー
３２  バス
３４  垂直エッジ
４０  封入接着剤
４２  光学接着剤
４４  乾燥剤
５０Ａ  距離インジケーター
５０Ｂ  距離インジケーター
５０  距離
５１  距離
５２  距離
５３  距離
５４Ａ  距離
５４Ｂ  距離
６０  延長された電極部分
６０Ａ  延長された電極部分
６０Ｂ  延長された電極部分
６２  チップレット
６４  通信バス
６６  光拡散素子
６８  接続パッド
【図１】
0005597258.tif 000002
【図２】
0005597258.tif 000003
【図３】
0005597258.tif 000004
【図４】
0005597258.tif 000005
【図５】
0005597258.tif 000006
【図６】
0005597258.tif 000007
【図７】
0005597258.tif 000008
【図８】
0005597258.tif 000009
【図９】
0005597258.tif 000010
【図１０】
0005597258.tif 000011
【図１１】
0005597258.tif 000012
【図１２】
0005597258.tif 000013
【図１３】
0005597258.tif 000014
【図１４Ａ】
0005597258.tif 000015
【図１４Ｂ】
0005597258.tif 000016
【図１５】
0005597258.tif 000017
【図１６】
0005597258.tif 000018
【図１７】
0005597258.tif 000019
【図１８】
0005597258.tif 000020
【図１９】
0005597258.tif 000021
【図２０】
0005597258.tif 000022
【図２１】
0005597258.tif 000023